(57)【特許請求の範囲】
【請求項１】
電力により駆動される電気的負荷を有する負荷付ハンガーが、吊下支持装置に吊下げられて支持される吊下装置であって、
前記吊下支持装置に設けられた給電線と、
前記負荷付ハンガーに設けられ、前記負荷付ハンガーが前記吊下支持装置に吊下げられた状態で、前記電気的負荷を駆動するために前記給電線から非接触で電力供給を受ける受電部と、
を備えた、吊下装置。
【請求項２】
請求項１記載の吊下装置であって、
前記吊下支持装置に支持部材が設けられると共に、前記負荷付ハンガーに前記支持部材に着脱自在に引っ掛け可能な吊下部が設けられ、
前記給電線が前記支持部材に設けられると共に、前記受電部が前記吊下部に設けられた、吊下装置。
【請求項３】
請求項２記載の吊下装置であって、
前記吊下部は、無開口の環状又は周方向の一部が開口する環状の形状を有し、
前記受電部は、受電コアとその受電コアに巻装されたコイルとを有し、
前記受電コアは、前記吊下部の環状形状に沿って配設され、
前記吊下部を前記支持部材に引っ掛けることで、前記給電線が前記受電コア内に配設される、吊下装置。
【請求項４】
請求項３記載の吊下装置であって、
前記吊下部は、撓み変形自在で、周方向の一部が開口する環状の形状に形成され、
前記受電コアは、前記吊下部の環状形状に沿って配設された複数の分割受電コアを有する、吊下装置。
【請求項５】
電力により駆動される電気的負荷を有し、吊下げ支持される負荷付ハンガーであって、
前記電気的負荷を駆動するために給電線から非接触で電力供給を受ける受電部を備えた負荷付ハンガー。
【請求項６】
請求項５記載の負荷付ハンガーであって、
着脱自在に引っ掛け可能な吊下部を有し、前記受電部は前記吊下部に設けられた、負荷付ハンガー。
【請求項７】
請求項６記載の負荷付ハンガーであって、
前記吊下部は、無開口の環状又は周方向の一部が開口する環状の形状を有し、
前記受電部は、受電コアとその受電コアに巻装されたコイルとを有し、
前記受電コアは、前記吊下部の環状形状に沿って配設されている、負荷付ハンガー。
【請求項８】
請求項７記載の負荷付ハンガーであって、
前記吊下部は、撓み変形自在で、周方向の一部が開口する環状の形状に形成され、
前記受電コアは、前記吊下部の環状形状に沿って配設された複数の分割受電コアを有する、負荷付ハンガー。
【発明の詳細な説明】
【０００１】
【発明の属する技術分野】
この発明は、ファン等の負荷付ハンガーに給電を行うための技術に関する。
【０００２】
【従来の技術】
従来、この種の負荷付ハンガーの一例として、送風機能やマイナスイオン発生機能を備えた衣服ハンガーがある。
【０００３】
このような衣服ハンガーに対して電力供給を行う手段としては、ＡＣアダプタ等の外部給電装置側からの給電用ケーブルを、コネクタ等を介して衣服ハンガーに接続して給電を行う有線式の給電方式や、充電池ないし一次電池を用いた電池式の給電方式が考えられる。
【０００４】
後者の例としては、特開平１１−８９７００号公報に開示の衣服ハンガーがある。
【０００５】
【発明が解決しようとする課題】
しかしながら、有線式の給電方式では、衣服ハンガーと外部給電装置との間でのコネクタ接続等が煩わしい。
【０００６】
また、電池式の給電方式では、電池交換や充電作業が煩わしい。しかも、電池交換するものにあっては電池購入費用が必要となり、充電池を用いたものにあっては、バッテリー寿命に制約があり、維持コストも比較的高くなり易い。
【０００７】
そこで、この発明の課題は、負荷付ハンガーを手軽に使用でき、かつ、維持コストを比較的低く抑えることができる技術を提供することにある。
【０００８】
【課題を解決するための手段】
上記課題を解決すべく、請求項１記載の発明は、電力により駆動される電気的負荷を有する負荷付ハンガーが、吊下支持装置に吊下げられて支持される吊下装置であって、前記吊下支持装置に設けられた給電線と、前記負荷付ハンガーに設けられ、前記負荷付ハンガーが前記吊下支持装置に吊下げられた状態で、前記電気的負荷を駆動するために前記給電線から非接触で電力供給を受ける受電部と、を備えたものである。
【０００９】
なお、請求項２記載のように、前記吊下支持装置に支持部材が設けられると共に、前記負荷付ハンガーに前記支持部材に着脱自在に引っ掛け可能な吊下部が設けられ、前記給電線が前記支持部材に設けられると共に、前記受電部が前記吊下部に設けられていてもよい。
【００１０】
また、請求項３記載のように、前記吊下部は、無開口の環状又は周方向の一部が開口する環状の形状を有し、前記受電部は、受電コアとその受電コアに巻装されたコイルとを有し、前記受電コアは、前記吊下部の環状形状に沿って配設され、前記吊下部を前記支持部材に引っ掛けることで、前記給電線が前記受電コア内に配設されるものであってもよい。
【００１１】
また、請求項４記載のように、前記吊下部は、撓み変形自在で、周方向の一部が開口する環状の形状に形成され、前記受電コアは、前記吊下部の環状形状に沿って配設された複数の分割受電コアを有するものであってもよい。
【００１２】
請求項５記載の発明は、電力により駆動される電気的負荷を有し、吊下げ支持される負荷付ハンガーであって、前記電気的負荷を駆動するために給電線から非接触で電力供給を受ける受電部を備えたものである。
【００１３】
なお、請求項６記載のように、着脱自在に引っ掛け可能な吊下部を有し、前記受電部は前記吊下部に設けられたものであってもよい。
【００１４】
また、請求項７記載のように、前記吊下部は、無開口の環状又は周方向の一部が開口する環状の形状を有し、前記受電部は、受電コアとその受電コアに巻装されたコイルとを有し、前記受電コアは、前記吊下部の環状形状に沿って配設されていてもよい。
【００１５】
さらに、請求項８記載のように、前記吊下部は、撓み変形自在で、周方向の一部が開口する環状の形状に形成され、前記受電コアは、前記吊下部の環状形状に沿って配設された複数の分割受電コアを有するものであってもよい。
【００１８】
【発明の実施の形態】
｛実施の形態｝
以下、この発明の実施の形態に係る吊下装置について説明する。
【００１９】
図１は吊下装置を示す一部切欠概略斜視図である。
【００２０】
この吊下装置は、吊下支持装置１０と負荷付ハンガー３０とを備えている。
【００２１】
吊下支持装置１０は、負荷付ハンガー３０を吊下げ支持可能に構成されている。
【００２２】
本実施の形態では、吊下支持装置１０として、衣装用クローゼットを想定している。すなわち、吊下支持装置１０は、前面に観音開きの扉１２が設けられた筺状体１１と、その筺状体１１内に配設されたハンガーバー１５とを備えている。ハンガーバー１５の両端部は筺状体１１内の側面に支持され、これにより、該ハンガーバー１５は筺状体１１内の上部にその幅方向に掛渡すようにして配設支持されている。なお、このようなハンガーバー１５としては、上述した衣装用クローゼットに配設されるものの他、洗濯用物干し竿や衣服販売店舗での展示用の竿、クリーニング店用の竿、スポーツ関連施設のロッカー内に設けられる竿等を想定できる。
【００２３】
そして、衣装を掛けた負荷付ハンガー３０が前記ハンガーバー１５に着脱自在に吊下げて支持されるように構成されている。これにより、当該衣装が衣装用クローゼットとしての吊下支持装置１０内に収容される。
【００２４】
また、ハンガーバー１５には、その長手方向に沿って、給電線２０が配設されている。この給電線２０は、高周波電源２２に接続されており、負荷付ハンガーに対して非接触で給電を行う機能を有している。本実施の形態では、給電線２０は、ハンガーバー１５内に配設されている（図３参照）。なお、ハンガーバー１５の外周部に給電線２０を付設してもよい。
【００２５】
図２は、負荷付ハンガー３０を示す概略正面図である。
【００２６】
負荷付ハンガー３０は、ハンガー本体部３１と吊下部３５とを有するハンガー部と、受電部４０と、受電ユニット４５と、電気的負荷（以下単に負荷という）４８とを備えている。
【００２７】
ハンガー本体部３１は、略二等辺三角形枠状に形成されており、衣服を掛けることができるように構成されている。なお、負荷付ハンガー３０は、衣服用のものに限られない。例えば、工場等で所定の加工対象物（例えば鉄板等）を吊下げて支持するものであっても構わない。
【００２８】
吊下部３５は、支持部材であるハンガーバー１５に引っ掛け可能に構成されている。本実施の形態では、吊下部３５は、樹脂等の非磁性材料により形成されており、周方向の一部（より具体的には側方下部）が開口する環状の形状を有している。該吊下部３５の開口は、ハンガーバー１５を挿通可能な大きさに形成されている。そして、該開口を通ってハンガーバー１５を吊下部３５内に挿脱することで、吊下部３５がハンガーバー１５に着脱自在に引っ掛けられる。この吊下部３５の内部に次述する受電部４０が収容配置されている。
【００２９】
図３は負荷付ハンガー３０がハンガーバー１５に吊下げて支持された状態を示す断面図であり、図４は受電部４０に非接触で給電が行われる状態を示す説明図である。
【００３０】
受電部４０は、給電線２０から非接触で電力供給を受けるものであり、受電コア４１とコイル４４とを有している。
【００３１】
受電コア４１は、磁性材料により形成されており、吊下部３５の環状形状に倣う形状、即ち、周方向の一部が開口する環状形状を有しており、上記吊下部３５内に収容配置されている（図３参照）。コイル４４は、エナメル線等の巻線を受電コア４１に巻付けることによって形成されている。
【００３２】
そして、吊下部３５をハンガーバー１５に引っ掛けた状態で、ハンガーバー１５内の給電線２０に交流電流を流すと、給電線２０の周りに磁界が発生する。受電コア４１内の磁束が変化すると、該コイル４４に誘導電圧が励起され、この誘導電圧によって誘導電流が生じるようになっている。
【００３３】
受電ユニット４５と負荷４８とは、一体化された形態で、ハンガー本体部３１の上側コーナー部分に取付けられている（図２参照）。
【００３４】
負荷４８は、電力による駆動する電気的負荷であり、例えば、ハンガー本体部３１に掛けられた衣服に対して空気を送込む送風装置や同じく衣服に対してマイナスイオンを付与するイオン発生装置等である。そして、上記コイル４４からの出力電力が受電ユニット４５を介して負荷４８に供給されるようになっている。
【００３５】
図５は、吊下装置の電気的構成を示すブロック図である。
【００３６】
同図に示すように、商用電源２３が高周波電源２２に接続されると共に、高周波電源２２が給電線２０に接続されている。そして、商用電源２３から例えば１００Ｖの交流波が高周波電源２２に出力され、該高周波電源２２はこれをより高周波交流波に変換して給電線２０に出力する。これにより、給電線２０に交流電流が流れるようになる。
【００３７】
受電ユニット４５は、共振回路４５ａと整流回路４５ｂと定電圧回路４５ｃとを備えている。共振回路４５ａは受電コア４１のコイル４４に接続されており、定電圧回路４５ｃは負荷４８に接続されている。共振回路４５ａは、例えばＬＣ並列回路により構成されるもので、コイル４４からの出力について位相補償による有効電力の増大を行う。整流回路４５ｂは、前記共振回路４５ａより出力される交流波を直流波に変換して出力する回路である。定電圧回路４５ｃは、整流回路４５ｂより出力される直流電圧を負荷４８駆動用の設定電圧に変換する。このように所定電圧に整流された直流電圧が負荷４８に印加されることで、負荷４８は電力供給を受けて駆動する。
【００３８】
図６は、負荷付ハンガー３０の一使用例を示している。
【００３９】
同図の負荷付ハンガー３０には、負荷４８として送風装置が組込まれた場合を想定している。そして、負荷付ハンガー３０に例えば衣服としてのシャツＴが吊された状態で、給電線２０からの給電を受けて負荷（送風装置）４８が駆動して送風を行う。これにより、シャツＴの内部に空気が送込まれ、送風による所定の効果（乾燥、除湿等）が達成される。
【００４０】
以上のように構成された吊下装置によると、吊下支持装置１０の給電線２０から負荷付ハンガー３０に非接触で給電が行われる。このため、従来の有線式の給電方式のようなコネクタ接続等が不要で、又、電池式の給電方式のような電池交換や充電作業が不要となり、負荷付ハンガー３０を手軽に使用できる。また、電池式の給電方式のように、一次電池の交換が不要で、或は、充電池の寿命による交換をする必要が無く、半永久的な使用が可能で、維持コストを比較的低く抑えることができる。
【００４１】
また、従来の有線式の給電方式では、コネクタの接続位置や給電用のケーブルの長さ等により、配設位置に制約を受ける恐れがあったが、本吊下装置では、コネクタ接続が不要で、有線接続がなされていないので、配設位置の自由度の向上を図ることができる。また、給電用のケーブルがからまるようなこともなく、取り回しが容易である。さらに、従来の有線式の給電方式では、各負荷付ハンガーの設置個数に応じた数のコネクタが必要となっていたが、本吊下装置では、単一の給電線２０で非接触給電を行える。従って、複数の負荷付ハンガー３０を用いる場合でも、構成を簡易化できる。また、給電用の端子の露出箇所が無いため、ほこりの付着等による端子不良等も防止できる。また、受電部４０が吊下部３５に設けられると共に、給電線２０がハンガーバー１５に設けられているため、負荷付ハンガー３０を吊下げることで、容易に非接触給電を行えて便利である。
【００４２】
さらに、吊下部３５が周方向の一部が開口する環状形状に形成され、受電コア４１が該吊下部３５に環状形状に沿って配設されているため、磁路のギャップを低減することができ、効率的な給電を行える。
【００４３】
なお、吊下部３５は、必ずしも周方向の一部が開口する環状に形成されている必要はなく、例えば、後述する第２変形例では、吊下部３５Ｂは、通常状態では無開口環状となっている。
【００４４】
｛変形例｝
以下に、上記実施の形態の変形例について説明する。なお、下記各変形例の説明においては、上記実施の形態において説明した構成要素と同様構成要素については説明を省略し、相違点を中心に説明する。
【００４５】
図７に示す第１変形例は、吊下部３５及び受電部４０に係る変形例を示している。
【００４６】
この第１変形例では、吊下部３５Ｂは、可撓性樹脂等により、撓み変形自在で、周方向の一部が開口する環状の形状に形成されている。この開口の大きさは、ハンガーバー１５の直径よりも小さい。
【００４７】
また、受電部４０Ｂの受電コア４１Ｂは、複数の分割受電コア４２Ｂを備えている。各分割受電コア４２Ｂは、吊下部３５Ｂの環状形状に倣う弧状に形成されており、吊下部３５Ｂの環状形状に沿って適宜間隔をあけて配設されている。そのうちの少なくとも一つに巻線を巻付けることによってコイル４４Ｂが形成されている。複数の分割受電コア４２Ｂに亘って巻線を巻付けてもよい。
【００４８】
この第１変形例では、上記実施の形態における効果に加えて、吊下部３５Ｂはその開口を広げるようにして撓み変形自在であるため、図７の矢符Ａに示す方向に該開口を押し広げて該開口を通って吊下部３５Ｂ内にハンガーバー１５を挿入配置することで、吊下部３５Ｂをハンガーバー１５に引っ掛けることができる。また、同様に、該開口を広げて該開口を通ってハンガーバー１５を吊下部３５Ｂ外に抜き去ることで、吊下部３５Ｂをハンガーバー１５から取外すことができる。
【００４９】
そして、吊下部３５Ｂをハンガーバー１５に引っ掛けた状態では、吊下部３５Ｂの開口が比較的小さいため、磁路のギャップが比較的小さく、従って、効率的な給電を行える。
【００５０】
図８に示す第２変形例は、吊下部３５及び受電部４０に係る変形例を示している。
【００５１】
この第２変形例の負荷付ハンガー３０Ｃでは、吊下部３５Ｃは、一対の分割クリップ部３６Ｃを備えている。各分割クリップ部３６Ｃは、半円弧状の把持部３７Ｃと該把持部３７Ｃの下方に延びる操作部３８Ｃとを備えており、軸部３９Ｃを介して開閉自在に連結されている。両分割クリップ部３６Ｃは、図示省略の弾性部材により、把持部３７Ｃを閉じる方向に付勢されている。
【００５２】
そして、操作部３８Ｃを介して上方の両把持部３７Ｃを開閉することで、両把持部３７Ｃ間にハンガーバー１５が挿脱自在とされて、吊下部３５Ｃがハンガーバー１５に引っ掛けられるようになっている。
【００５３】
また、受電部４０Ｃは、一対の分割受電コア４２Ｃによって構成されている。
各分割受電コア４２Ｃは、各把持部３７Ｃの形状に倣う半円弧形状に形成されており、各把持部３７Ｃの周方向に沿って配設されている。
【００５４】
従って、この第２の変形例では、上記実施の形態における効果に加えて、ハンガーバー１５を取巻くようにして半円弧状の分割受電コア４２Ｃを配設することができ、磁路のギャップを比較的小さくでき、効率的な給電を行える。
【００５５】
図９に示す第３変形例は、吊下部３５、受電部４０及び給電線２０の配設位置を変更した変形例を示している。
【００５６】
この第３変形例では、ハンガーバー１５Ｄの下方に該ハンガーバー１５Ｄの延在方向に沿って給電線２０Ｄが配設されている。また、ハンガーバー１５Ｄに吊下げて支持される吊下部３５Ｄの下部に給電線２０Ｄを挿通可能な受電部４０Ｄが配設されている。
【００５７】
この第３変形例でも、給電線２０Ｄから非接触で給電が行われるため、負荷付ハンガーを手軽に使用できる上、維持コストを比較的低く抑えることができるという点に関して、上記実施の形態と同様の効果を得ることができる。
【００５８】
図１０に示す第４変形例は、ハンガーバー１５及び給電線２０に係る変形例を示している。
【００５９】
この第４変形例では、支持部材１５Ｅは、バー１５Ｅａに、環状部と支持柱部とを有する環状支持部１５Ｅｂが垂設された構成とされている。
【００６０】
また、給電線２０Ｅはバー１５Ｅａから支持柱部を経由して環状部に沿って付設されている。
【００６１】
そして、吊下部３５が環状支持部１５Ｅｂの環状部内に引っ掛けるようにして支持される構成となっている。なお、環状支持部１５Ｅｂについては、周知のレール構造を適用してバー１５Ｅａの長手方向に沿って移動自在である。この場合、環状支持部１５Ｅｂとバー１５Ｅａとの電気的接続については、いわゆるパンタグラフ構造等を適用すればよい。
【００６２】
この第４変形例でも、給電線２０Ｅに交流電流を流すと、上記実施の形態と同様に、吊下部３５の受電コア４１内の磁束が変化し、コイル４４に誘導電流が生じ、負荷付ハンガーに対して非接触で給電を行え、上記実施の形態と同様の効果を得ることができる。
【００６３】
図１１に示す第５変形例は、ハンガーバー１５及び給電線２０に係る変形例を示している。
【００６４】
この第５変形例では、支持部材１５Ｆは、断面略Ｊ字状の長柱形状に形成されている。
【００６５】
また、給電線２０Ｆが、支持部材１５Ｆの上下方向の寸法が短い方の側部１５Ｆａに、その延在方向に沿って付設されている。
【００６６】
そして、吊下部３５が前記側部１５Ｆａに引っ掛けるようにして支持される。
【００６７】
従って、この第５変形例でも、給電線２０Ｆに交流電流を流すと、上記実施の形態と同様に、吊下部３５の受電コア４１内の磁束が変化し、コイル４４に誘導電流が生じ、負荷付ハンガー３０に対して非接触で給電を行え、上記実施の形態と同様の効果を得ることができる。
【００６８】
図１２に示す第６変形例は、ハンガーバー１５及び給電線２０に係る変形例を示している。
【００６９】
この第６変形例では、支持部材１５Ｇは、縦横の網状に形成されている。
【００７０】
また、給電線２０Ｇが、支持部材１５Ｇの水平方向に延びる各棒部材１５Ｇａに沿って適宜折曲しつつ付設されている。
【００７１】
そして、吊下部３５が前記棒部材１５Ｇａに引っ掛けるようにして支持される。
【００７２】
従って、この第６変形例でも、給電線２０Ｇに交流電流を流すと、上記実施の形態と同様に、吊下部３５の受電コア４１内の磁束が変化し、コイル４４に誘導電流が生じ、負荷付ハンガー３０に対して非接触で給電を行え、上記実施の形態と同様の効果を得ることができる。
【００７３】
これら第４〜第６変形例に示されるように、吊下部３５を支持する支持部材及び給電線は、必ずしも棒状体にその長手方向に沿って給電線を配設した構成に限られない。要するに、支持部材は吊下部３５を引っ掛け可能な形状を有していればよく、また、支持部材に吊下部３５が引っ掛けられた状態で、コイル４４の軸方向に方向に磁界が発生するように、給電線２０が配設されていればよい。
【００７４】
なお、上記各変形例は、相互に矛盾しない限りにおいて、適宜組合わせることができる。
【００７５】
【発明の効果】
以上のように、この発明の請求項１記載の吊下装置によると、吊下支持装置の給電線から負荷付ハンガーに非接触で給電が行われる。このため、従来の有線式の給電方式のようなコネクタ接続等が不要で、又、電池式の給電方式のような電池交換が不要で、しかも、充電池式の給電方式において、残量を気にかけたり、充電作業が不要となり、負荷付ハンガーを手軽に使用できる。また、電池式の給電方式のように、一次電池の交換が不要で、或は、充電池の寿命を気にする必要が無く、維持コストを比較的低く抑えることができる。しかも、従来の有線式の給電方式のように、コネクタ接続位置や給電用のケーブルによって、負荷付ハンガーの配設位置が限定されることがないため、比較的配設位置の自由度に優れる。
【００７６】
また、請求項２記載の発明によれば、受電部が吊下部に設けられると共に、給電線は前記支持部材に設けられているため、該吊下部を支持部材に引っ掛けるようにして負荷付ハンガーを吊下げることで、給電を行える。
【００７７】
さらに、請求項３記載の発明によれば、前記吊下部を前記支持部材に引っ掛けることで、前記給電線が前記受電コア内に配設されるため、効率的な給電を行える。
【００７８】
また、請求項４記載の発明によれば、吊下部は、撓み変形自在に形成されており、受電コアは、前記吊下部の環状形状に沿って配設された複数の分割受電コアを有しているため、吊下部を変形させることで支持部材に対する着脱を容易に行える。
【００７９】
この発明の請求項５記載の負荷付ハンガーによると、給電線から負荷付ハンガーに非接触で給電が行われる。このため、従来の有線式の給電方式のようなコネクタ接続等が不要で、又、電池式の給電方式のような電池交換や充電作業が不要となり、負荷付ハンガーを手軽に使用できる。また、電池式の給電方式のように、一次電池の交換が不要で、或は、充電池の寿命を気にする必要が無く、維持コストを比較的低く抑えることができる。
【００８０】
請求項６記載の発明によれば、受電部が吊下部に設けられているため、該吊下部を吊下支持装置側の支持部材に引っ掛けるようにして負荷付ハンガーを吊下げることで、給電を行える。
【００８１】
さらに、請求項７記載の発明によれば、受電コアが、吊下部の環状形状に沿って配設されているため、効率的な給電を行える。
【００８２】
また、請求項８記載の発明によれば、吊下部は、撓み変形自在に形成されており、受電コアは、前記吊下部の環状形状に沿って配設された複数の分割受電コアを有しているため、吊下部を変形させることで支持部材に対する着脱を容易に行える。
【図面の簡単な説明】
【図１】この発明の実施の形態に係る吊下装置を示す一部切欠概略斜視図である。
【図２】負荷付ハンガーを示す概略正面図である。
【図３】負荷付ハンガーがハンガーバーに吊下げて支持された状態を示す断面図である。
【図４】受電部に非接触で給電が行われる状態を示す説明図である。
【図５】吊下装置の電気的構成を示すブロック図である。
【図６】負荷付ハンガーの使用状態を示す説明図である。
【図７】第１変形例に係る吊下部を示す断面図である。
【図８】第２変形例に係る負荷付ハンガーを示す概略正面図である。
【図９】第３変形例に係る受電部及び給電線を示す一部断面図である。
【図１０】第４変形例に係る支持部材及び給電線を示す正面図である。
【図１１】第５変形例に係る支持部材及び給電線を示す正面図である。
【図１２】第５変形例に係る支持部材及び給電線を示す正面図である。
【符号の説明】
１０  吊下支持装置
１５  ハンガーバー
２０  給電線
２２  高周波電源
３０  負荷付ハンガー
３１  ハンガー本体部
３５  吊下部
４０  受電部
４１  受電コア
４４  コイル
４５  受電ユニット
【図１】
0003708911.tif 000002
【図２】
0003708911.tif 000003
【図３】
0003708911.tif 000004
【図４】
0003708911.tif 000005
【図５】
0003708911.tif 000006
【図６】
0003708911.tif 000007
【図７】
0003708911.tif 000008
【図８】
0003708911.tif 000009
【図９】
0003708911.tif 000010
【図１０】
0003708911.tif 000011
【図１１】
0003708911.tif 000012
【図１２】
0003708911.tif 000013